(57)【要約】【課題】低消費電力で、寿命の長い表示装置および電気器具を提供する。【解決手段】基板101および第１電極102の上に、各画素110を囲むように絶縁体隔壁103を設け、さらに導電性ポリマー104を、全面に塗布する。その場合、導電性ポリマー104の厚さ形状は、絶縁体隔壁103の影響により、T2＞T1＞T3となる。したがって、T3部分における横方向の抵抗が高くなり、クロストークを防ぐことができる。導電性ポリマー104のバッファ層としての機能も加わり、消費電力を抑える結果につながる。さらに、T2部分が厚くなるため、画素部周辺の電界集中を緩和し、画素部周辺からの有機発光素子の劣化を防ぐことができる。【選択図】図１
2020178137.tif 000002
【特許請求の範囲】
【請求項１】
マトリクス状に配置された複数の画素を有する表示装置において、前記表示装置は、基板と、前記基板の絶縁表面上に設けられた前記複数の画素に対応する複数の第１電極と、前記第１電極を囲みなおかつ前記第１電極の表面より上方に突出した絶縁体隔壁と、前記絶縁体隔壁および前記第１電極の上に設けられた有機導電体膜と、前記有機導電体膜の上に設けられなおかつ電界発光できる有機化合物を含む有機薄膜と、前記有機薄膜の上に設けられた第２電極と、を有する表示装置。
【発明の詳細な説明】
【技術分野】
【０００１】
本発明は、陽極と、陰極と、電界を加えることで発光が得られる有機化合物を含む膜（以
下、「有機薄膜」と記す）と、を有する有機発光素子を用いた表示装置に関する。
【背景技術】
【０００２】
有機発光素子は、電界を加えることにより発光する素子である。その発光機構は、電極間
に有機薄膜を挟んで電圧を印加することにより、陰極から注入された電子および陽極から
注入された正孔が有機薄膜中で再結合して、励起状態の分子（以下、「分子励起子」と記
す）を形成し、その分子励起子が基底状態に戻る際にエネルギーを放出して発光すると言
われている。
【０００３】
なお、有機化合物が形成する分子励起子の種類としては、一重項励起状態と三重項励起状
態が可能であると考えられるが、ここではどちらの励起状態が発光に寄与する場合も含む
こととする。
【０００４】
このような有機発光素子において、通常、有機薄膜は1μmを下回るほどの薄膜で形成され
る。また、有機発光素子は、有機薄膜そのものが光を放出する自発光型の素子であるため
、従来の液晶ディスプレイに用いられているようなバックライトも必要ない。したがって
、有機発光素子は極めて薄型軽量に作製できることが大きな利点である。
【０００５】
また、例えば100〜200nm程度の有機薄膜において、キャリアを注入してから再結合に至る
までの時間は、有機薄膜のキャリア移動度を考えると数十ナノ秒程度であり、キャリアの
再結合から発光までの過程を含めてもマイクロ秒以内のオーダーで発光に至る。したがっ
て、非常に応答速度が速いことも特長の一つである。
【０００６】
さらに、有機発光素子はキャリア注入型の発光素子であるため、直流電圧での駆動が可能
であり、ノイズが生じにくい。駆動電圧に関しては、まず有機薄膜の厚みを100nm程度の
均一な超薄膜とし、また、有機薄膜に対するキャリア注入障壁を小さくするような電極材
料を選択し、さらにはヘテロ構造（二層構造）を導入することによって、5.5Vで100cd/m2
の十分な輝度が達成された（例えば、非特許文献１参照）。
【０００７】
非特許文献１における有機発光素子は、いわば正孔の輸送は正孔輸送層が行い、電子の輸
送および発光は電子輸送性発光層が行うという、機能分離の発想であるとも言える。この
機能分離の概念はさらに、正孔輸送層と電子輸送層の間に発光層を挟むというダブルへテ
ロ構造（三層構造）の構想へと発展した（例えば、非特許文献２参照。）。
【０００８】
こういった機能分離の利点としては、機能分離することによって一種類の有機材料に様々
な機能（発光性、キャリア輸送性、電極からのキャリア注入性など）を同時に持たせる必
要がなくなり、分子設計等に幅広い自由度を持たせることができる点にある（例えば、無
理にバイポーラー材料を探索する必要がなくなる）。
つまり、発光特性のいい材料、キャリア輸送性が優れる材料などを、各々組み合わせるこ
とで、容易に高発光効率が達成できるということである。
【０００９】
機能分離の中でも、キャリアを注入する機能の導入としては、陽極バッファ層や陰極バッ
ファ層の概念が提案されており、より低い電圧での駆動が可能になっている。例えば、陰
極との界面においては、エネルギー障壁を緩和するような材料を挿入し、キャリアの注入
性を高めて駆動電圧を低減している報告がある（例えば、非特許文献３参照。）。非特許
文献３では、陰極バッファ層としてLi2Oを用いることにより、駆動電圧の低減に成功して
いる。
【００１０】
また、バッファ層の中では特に、近年はポリマーを用いたバッファ層が注目されている（
例えば、非特許文献４参照。）。非特許文献４では、ポリマーの陽極バッファ層を用いる
ことにより、低電圧化・長寿命化・耐熱性向上に効果があると報告されている。また、ポ
リマーの陽極バッファ層は、適当なアクセプタの導入により導電率が向上するので厚膜化
が可能となる。したがって、平坦化にも寄与することができ、短絡の減少などにも効果が
あると言われている。
【００１１】
このように、有機発光素子は薄型軽量・高速応答性・直流低電圧駆動などの特性を有して
おり、次世代のフラットパネルディスプレイ素子として注目されている。また、自発光型
であり視野角が広いことから、視認性も比較的良好であり、特に車載用の表示画面や携帯
機器の表示画面に用いる素子として有効と考えられている。実際、車載用のカーオーディ
オの中には、エリアカラーの表示画面に有機発光素子が用いられているものもある。
【００１２】
さらに、有機発光素子は、発光色のバリエーションに富んでいることも特色の一つである
。このような色彩の豊かさの要因は、有機化合物自体の多様性にある。
すなわち、分子設計（例えば置換基の導入）等により様々な発光色の材料を開発できると
いう柔軟性が、色彩の豊かさを生んでいるのである。
【００１３】
これらの観点から、有機発光素子の最も大きな応用分野は、モノカラーやエリアカラーの
表示装置はもちろんのこと、フルカラーの表示装置であると言っても過言ではない。有機
発光素子の特徴を考慮し、様々なフルカラー化の手法が考案されている。例えば、光の三
原色である赤色、緑色、青色のそれぞれの発光色を呈する有機発光素子を、シャドウマス
ク技術を用いて塗り分け、それぞれを画素とする手法（以下、「塗り分け方式」と記す）
、あるいは、青色の有機発光素子を発光源として用い、その青色の光を有機蛍光材料から
なる色変換層によって緑色および赤色に変換することで、光の三原色を得る手法（以下、
「CCM方式」と記す）、あるいは、白色の有機発光素子を発光源として用い、液晶表示装
置などで用いられているカラーフィルターを設けることで、光の三原色を得る手法（以下
、「CF方式」と記す）などがある。
【００１４】
また、これらいずれの構成においても、有機発光素子をマトリクス状の各画素として配置
することにより形成される表示装置に対しては、パッシブマトリクス駆動（単純マトリク
ス型）やアクティブマトリクス駆動（アクティブマトリクス型）のような駆動方法が用い
られている。なお、画素密度が多くなる場合には、画素ごとにスイッチ（例えばトランジ
スタなどの非線形素子）が設けられているアクティブマトリクス型の方が、低電圧で駆動
できるため有利であると言われている。
【００１５】
ところで、非特許文献４で示されるようなポリマーを用いたバッファ層は、低駆動電圧化
・長寿命化・耐熱性向上に効果があることは先に述べたが、このような材料をバッファ層
（主に陽極バッファ層）として、有機発光素子をマトリクス状の各画素として配置するこ
とにより形成される表示装置に適用しようとすると、問題点が生じる。それは、クロスト
ークの問題である。
【００１６】
ポリマーを用いたバッファ層は、π共役系を有するポリマーにドナーやアクセプタを添加
することによって、そのポリマーに導電性を持たせるものがほとんどである。そして、こ
れらのポリマーは通常、スピンコートなどで全面に塗布するため、所々、ポリマーと配線
との間で漏れ電流が生じるのである。
【００１７】
例えば、アクセプタを添加した導電性ポリマーであるポリエチレンジオキシチオフェン／
ポリスチレンスルホン酸（以下、「PEDT/PSS」と記す）を、陽極バッファ層として用いた
パッシブマトリクス型の表示装置を作製すると、クロストークが生じると報告されている
（例えば、非特許文献５参照。）。非特許文献５では、その解決法として、わざとPEDT/P
SSの抵抗率を高くすることにより、クロストークを防いでいる。
【００１８】
しかしながら、抵抗率を高くしてしまうと、今度はポリマーを用いたバッファ層の厚さを
厚くすることができなくなってしまう（つまり、有機発光素子に電流が流れにくくなって
しまう）。したがって、厚膜化によって電極表面を平坦化し、短絡を防げるという特徴が
失われてしまう。また、抵抗率が高くなれば、自然、駆動電圧も高くなってしまい、低駆
動電圧という特徴もなくなる。
【先行技術文献】
【非特許文献】
【００１９】
【非特許文献１】Ｃ．Ｗ．タン（Ｃ．Ｗ．Ｔａｎｇ）ら、アプライド  フィジクス  レターズ、Ｖｏｌ．５１，Ｎｏ．１２，９１３−９１５（１９８７）。
【非特許文献２】チハヤ  アダチ、外３名、ジャパニーズ  ジャーナル  オブ  アプライド  フィジクス  、Ｖｏｌ．２７，Ｎｏ．２，Ｌ２６９−Ｌ２７１（１９８８）。
【非特許文献３】タケオ  ワキモト、外５名、アイイーイーイー  トランサクション  オン  エレクトロン  デバイス（IEEE TRANSACTIONS ON ELECTRON DEVICES）, VOL. ４４, NO.８, １２４５−１２４８(１９９７)。
【非特許文献４】佐藤佳晴、「実用化への課題：材料開発の観点から」、応用物理学会・有機分子・バイオエレクトロニクス分科会会誌、vol.１１、No.１、８６−９９(２０００)。
【非特許文献５】A. エルシュナー、外３名、アジア  ディスプレイ／アイディーダブリュー（ Asia Display/IDW）'01, １４２７−１４３０(２００１)。
【発明の概要】
【発明が解決しようとする課題】
【００２０】
そこで本発明では、有機発光素子をマトリクス状の各画素として配置することにより形成
される表示装置に対し、クロストークを起こすことなく、ポリマーを用いた導電性のバッ
ファ層を適用することを目的とする。またそれにより、駆動電圧が低く、信頼性・耐熱性
にも優れ、短絡などの欠陥が少ない表示装置を提供することを課題とする。
【００２１】
さらに、前記表示装置を用いて電気器具を作製することにより、消費電力が少なく、寿命
の長い電気器具を提供することを課題とする。
【課題を解決するための手段】
【００２２】
本発明は、マトリクス状に配置された複数の画素を有する表示装置において、前記表示装
置は、基板と、前記基板の絶縁表面上に設けられた前記複数の画素に対応する複数の第１
電極と、前記第１電極を囲みなおかつ前記第１電極の表面より上方に突出した絶縁体隔壁
と、前記絶縁体隔壁および前記第１電極の上に設けられた有機導電体膜と、前記有機導電
体の上に設けられなおかつ電界発光できる有機化合物を含む有機薄膜と、前記有機薄膜の
上に設けられた第２電極と、を有することを特徴とする。
【００２３】
また特に、前記第１電極上における前記有機導電体膜の膜厚Ｔ1と、前記第１電極と前記
絶縁体隔壁との境界上における前記有機導電体膜の膜厚Ｔ2と、前記絶縁体隔壁上におけ
る前期有機導電体膜の膜厚Ｔ3と、の関係が、Ｔ2＞Ｔ1＞Ｔ3であることを特徴とする。
【００２４】
また特に、前記有機導電体膜は、高分子化合物にアクセプタまたはドナーを添加したもの
であることを特徴とする。さらに、前記有機導電体膜は、平坦性を考慮すると湿式法にて
成膜された膜であることが好ましく、その湿式法としては、スピンコート法、またはイン
クジェット法、またはスプレー法が好適である。なお、前記有機導電体膜の導電率は、１
０-6S/cm以上、１０-2S/cm以下であることが好ましい。
【００２５】
また、前記絶縁体隔壁は、前記基板の上方向に向けて徐々に細くなるテーパー形状を有す
ることを特徴とする。この時のテーパー形状のテーパー角度は、６０度以上８０度以下で
あることが好ましい。さらに、前記絶縁体隔壁が、前記絶縁体隔壁の稜線に対して基板側
に曲率半径の中心を少なくとも一つ有する曲面形状である場合や、前記絶縁体隔壁の稜線
が変曲点を有さない曲面形状である場合や、前記絶縁体隔壁が、前記絶縁体隔壁の稜線に
対して基板側に曲率半径の中心を少なくとも一つ有すると同時に前記絶縁体隔壁の稜線に
対して基板側と反対側にも曲率半径の中心を少なくとも一つ有する曲面形状である場合や
、前記絶縁体隔壁の稜線が少なくとも１つの変曲点を有する曲面形状である場合は、スピ
ン塗布を行う場合などに特に好適である。
【００２６】
さらに本発明においては、前記表示装置は、データ信号ラインと、走査信号ラインと、前
記データ信号ラインおよび前記走査信号ラインおよび前記第１電極に接続された非線形素
子と、をさらに含むことを特徴とする。この時、前記非線形素子は、互いに接続された薄
膜トランジスタとキャパシタとの組み合わせ、または、薄膜トランジスタと前記薄膜トラ
ンジスタの寄生のキャパシタとの組み合わせ、からなることが好ましい。
【００２７】
また表示装置である以上、表示装置のいずれかの面が可視光透過性を有すればよい。従っ
て本発明では、前記基板および前記第１電極が可視光透過性を有することを特徴とする。
あるいは、前記第２電極が可視光透過性を有することを特徴とする。
【００２８】
以上で述べたような表示装置の製造方法として、本発明では、マトリクス状に配置された
複数の画素を有する表示装置を製造する工程は、基板の絶縁表面上に前記複数の画素に対
応する複数の第１電極を形成するパターン工程と、前記第１電極を囲みなおかつ前記第１
電極の表面より上方に突出した絶縁体隔壁を形成する工程と、前記絶縁体隔壁および前記
第１電極の上に有機導電体膜を設ける工程と、前記有機導電体の上に電界発光できる有機
化合物を含む有機薄膜を形成する工程と、前記有機薄膜の上に第２電極を形成する工程と
、を含むことを特徴とする。
【００２９】
また本発明では、前記絶縁体隔壁および前記第１電極の上に有機導電体膜を設ける工程は
、湿式プロセスであることを特徴とする。この時、前記湿式プロセスは、前記有機導電体
膜の原料溶液または原料分散液をスプレー塗布する工程、またはスピン塗布する工程、ま
たはインクジェット法により塗布する工程であることが好ましい。
【００３０】
さらに本発明においては、前記パターン工程は、データ信号ラインと、走査信号ラインと
、前記データ信号ラインおよび前記走査信号ラインおよび前記第１電極に接続された非線
形素子と、を形成する工程を含むことを特徴とする。この時、前記非線形素子は、互いに
接続された薄膜トランジスタとキャパシタとの組み合わせ、または、薄膜トランジスタと
前記薄膜トランジスタの寄生のキャパシタとの組み合わせ、からなることが好ましい。
【００３１】
なお、有機薄膜は、発光する化合物として有機化合物を用いているものであり、他の構成
要素として無機化合物を含んでいても良い。また、本発明でいう表示装置とは、発光素子
として有機発光素子を用いた画像表示デバイスを指す。また、有機発光素子にコネクター
、例えば異方導電性フィルム（FPC：Flexible printed circuit）もしくはTAB（Tape Aut
omated Bonding）テープもしくはTCP（Tape Carrier Package）が取り付けられたモジュ
ール、TABテープやTCPの先にプリント配線板が設けられたモジュール、または有機発光素
子にCOG（Chip On Glass）
方式によりIC（集積回路）が直接実装されたモジュールも全て表示装置に含むものとする
。
【発明の効果】
【００３２】
以上で述べたような発明を実施することにより、有機発光素子をマトリクス状の各画素と
して配置することにより形成される表示装置に対し、クロストークを起こすことなく、ポ
リマーを用いた導電性のバッファ層を適用することができる。
またそれにより、駆動電圧が低く、信頼性・耐熱性にも優れ、短絡などの欠陥が少ない表
示装置を提供することができる。
【図面の簡単な説明】
【００３３】
【図１】本発明の概念を表す図。
【図２】本発明のパッシブマトリクス型表示装置の概念を示す図。
【図３】本発明のアクティブマトリクス型表示装置の概念を示す図。
【図４】有機発光素子の作製装置を示す図。
【図５】パッシブマトリクス型表示装置の実施例を示す図。
【図６】アクティブマトリクス型表示装置の実施例を示す図。
【図７】アクティブマトリクス型表示装置の実施例を示す図。
【図８】駆動方法の実施例を示す図。
【図９】電気器具の具体例を示す図。
【図１０】電気器具の具体例を示す図。
【図１１】インクジェット法で導電性ポリマーを連続的に形成する概念を説明する図。
【図１２】インクジェット法で導電性ポリマーを連続的に形成した時における本発明の概念を表す図。
【図１３】断面ＴＥＭ写真を示す図
【図１４】本発明の概念を表す図。
【図１５】断面TEM写真を示す図。
【図１６】アクティブマトリクス型表示装置の実施例を示す図。
【発明を実施するための形態】
【００３４】
本発明の概念図を図１に示す。図１(a)は基板上にストライプ状（図中縦方向）
の第１電極102aを形成し、画素部110aを形成するために、画素部110aを囲む形で絶縁体隔
壁103aを設け、有機導電体膜104a（図示せず）を形成したものである。
また図１(b)は、基板上にアイランド状の第１電極102bを形成し、画素部110bを形成する
ために、画素部110bを囲む形で絶縁体隔壁103bを設け、有機導電体膜104b（図示せず）を
形成したものである。いずれの場合も、図中A−A'における断面図は図１(c)のようになる
。101は基板、102は第１電極、103は絶縁体隔壁、104は有機導電体膜である。
【００３５】
この時、有機導電体膜104の厚さ形状は、絶縁体隔壁103の影響により、T2＞T1＞T3となる
。したがって、T3部分における横方向の抵抗が高くなり、クロストークを防ぐことができ
る。さらに、T2部分が厚くなるため、画素部周辺の電界集中を緩和し、画素部周辺からの
有機発光素子の劣化を防ぐことができる。有機導電体膜104としては、例えばPEDOT/PSSの
ような導電性ポリマーを湿式塗布したものを用いれば良い。
【００３６】
なお、この形状は、有機導電体膜を湿式塗布する場合に効果的に得られるが、真空蒸着の
ような乾式プロセスによって有機導電体膜を形成する場合も、同様の形状は得られる。し
たがって、有機導電体膜１０４を形成するプロセスは、乾式プロセス・湿式プロセスいず
れの場合でも有効である。
【００３７】
このような概念をパッシブマトリクス型に適用すると、図２のようになる。図２(a)は上
面図、図２(b)は図２(a)中のＢ−Ｂ'の断面図である。すなわち、基板201上にストライプ
状の第１電極202が形成されており、その第１電極202より上方に突き出てなおかつ、画素
部Pを囲む形で絶縁体隔壁203が形成されている。そしてその上に有機導電体膜204（代表
的には導電性ポリマー）が設けられ、さらには電界発光できる有機化合物を含む有機薄膜
205が形成されている。その上に、第１電極と直交する形で、第２電極206が形成されてい
る。
【００３８】
なお、ここでは、有機薄膜205はメタルマスクによって画素部ごとに塗り分けられており
、フルカラー表示に適した形態を示している。むろん、単色であれば、塗り分けすること
なくベタ付けしてもよい。
【００３９】
また、このような概念をアクティブマトリクス型に適用すると、図３のようになる。図３
(a)は上面図、図３(b)は図３(a)中のC−C'の断面図である。すなわち、基板301上にアイ
ランド状の第１電極302が形成されており、その第１電極302より上方に突き出てなおかつ
、画素部を囲む形で絶縁体隔壁303が形成されている。そしてその上に有機導電体膜304が
設けられ、さらには電界発光できる有機化合物を含む有機薄膜305が形成されている。そ
の上に、ベタ付けの形で第２電極306が形成されている。
【００４０】
さらに、データ信号ライン307と、走査信号ライン308と、データ信号ライン307および走
査信号ライン308に接続された非線形素子309が設けられており、非線形素子はコンタクト
310により、第１電極302に接続されている。これにより、各画素をそれぞれ単独でスイッ
チすることができる。非線形素子309は代表的には、互いに接続された薄膜トランジスタ
とキャパシタとの組み合わせ、または、薄膜トランジスタと前記薄膜トランジスタの寄生
のキャパシタとの組み合わせ、からなる。
【００４１】
なお、図２および図３において、有機薄膜の構成としては、公知の有機発光素子の構造を
用いればよい。また、第１電極および第２電極のいずれか一方が可視光透過性を有してい
れば良く、第１電極が陽極の場合は第２電極を陰極に、第１電極が陰極の場合は第２電極
を陽極とすればよい。
【００４２】
有機導電体膜としては、有機半導体にアクセプタやドナーをドープして暗導電性を持たせ
る手法が好適である。成膜方法としては、真空蒸着法のような乾式プロセスにて成膜でき
るものと、スピンコートのような湿式プロセスにて成膜できるものがある。
【００４３】
乾式プロセスで成膜できる有機導電体膜の一例としては、低分子系の有機半導体と、アク
セプタまたはドナーとを共蒸着する手法が一般的である。ｐ型の有機半導体とアクセプタ
とを共蒸着した場合の有機導電体膜はホール注入層として好ましく、ｎ型の有機半導体と
ドナーとを共蒸着した場合の有機導電体膜は電子注入層として好ましい。
【００４４】
低分子系のｐ型有機半導体としては、４，４'−ビス［Ｎ−（１−ナフチル）−Ｎ−フェ
ニル−アミノ］−ビフェニル（略称；α−NPD）や、４，４'，４''−トリス（Ｎ，Ｎ−ジ
フェニル−アミノ）−トリフェニルアミン（略称；TDATA）、４，４'，４''−トリス［Ｎ
−（３−メチルフェニル）−Ｎ−フェニル−アミノ］−トリフェニルアミン（略称；MTDA
TA）などの芳香族アミン化合物が挙げられる。また、低分子系のｎ型有機半導体としては
、トリス（８−キノリノラト）アルミニウム（略称；Alq3）、ビス［２−（２−ヒドロキ
シフェニル）−ベンゾオキサゾラト］亜鉛（略称；Zn(BOX)2）などの金属錯体や、２−（
４−ビフェニリル）−５−（４−tert−ブチルフェニル）−１，３，４−オキサジアゾー
ル（略称；PBD）、１，３−ビス［５−（p−tert−ブチルフェニル）−１，３，４−オキ
サジアゾール−２−イル］ベンゼン（略称；OXD−7）などのオキサジアゾール誘導体、５
−（４−ビフェニリル）−３−（４−tert−ブチルフェニル）−４−フェニル−１，２，
４−トリアゾール（略称；TAZ）、５−（４−ビフェニリル）−３−（４−tert−ブチル
フェニル）−４−（４−エチルフェニル）−１，２，４−トリアゾール（略称；p-EtTAZ
）などのトリアゾール誘導体、バソフェナントロリン（略称；BPhen）・バソキュプロイ
ン（略称；BCP）と記す）などのフェナントロリン誘導体などが挙げられる。
【００４５】
アクセプタとして有効に機能し、なおかつ蒸着が可能な例としては、TCNQ、TCE、DDQ、ベ
ンゾキノン、２，６−ナフトキノン、ｐ−フルオラニル、テトラクロロジフェノキノン、
ニッケルビスジフェニルグルオキシムなど、ルイス酸として作用するものが代表的である
。ドナーとして有効に機能し、なおかつ蒸着が可能な例としては、TTF、TTT、メチルフェ
ノチアジン、N−イソプロピルカルバゾールなどの有機化合物の他、アルカリ金属、アル
カリ土類金属のようなドナー性の強い金属類など、ルイス塩基として作用するものが代表
的である。
【００４６】
湿式プロセスで成膜できる有機導電体膜の一例としては、導電性高分子化合物に代表され
るπ共役系を有する高分子化合物と、アクセプタまたはドナーとを混合した溶液を湿式塗
布する手法が一般的である。成膜性が良ければ、高分子化合物ではなく、低分子系の有機
化合物を用いてもよい。この場合も、アクセプタを混合した場合の有機導電体膜はホール
注入層として好ましく、ドナーを混合した場合の有機導電体膜は電子注入層として好まし
い。
【００４７】
π共役系を有する高分子化合物の例としては、ポリ（エチレンジオキシチオフェン）（略
称：PEDOT）、ポリアニリン（略称；PAni）、ポリピロールのように実用化されている材
料の他、ポリフェニレン誘導体、ポリチオフェン誘導体、ポリ（パラフェニレンビニレン
）誘導体などがある。
【００４８】
アクセプタやドナーとしては、上記で挙げたものを用いることもできるが、ポリスチレン
スルホン酸（PSS）のような水溶性ポリマーのアクセプタを用いることで、水溶媒系で湿
式塗布することもできる。PEDOT/PSSやPAni/PSSなどが知られており、特にホール注入層
として有効である。
【００４９】
ところで、図１〜図３の図面上ではテーパー形状の絶縁体隔壁を例に説明しているが、絶
縁体隔壁が他の形状の場合でも、同様の効果、あるいはより大きな効果を得ることができ
る。図１（ｃ）におけるテーパー形状の絶縁体隔壁を、他の形状とした場合の模式図を図
１４に示す。
【００５０】
図１４（ａ）は、絶縁体隔壁１０３の端部が、絶縁体隔壁１０３の内側に曲率半径R1を一
つ有する曲面形状となる場合である。つまり、絶縁体隔壁は、絶縁体隔壁の稜線に対して
基板側に曲率半径の中心を少なくとも１つ有する場合であり、前記絶縁体隔壁の稜線は、
変曲点を有さない曲面形状である場合の一例である。
このような場合、図１４（ａ）に示したとおり、絶縁体隔壁の端部は弧を描く形となるた
め、T2＞T1＞T3の状態を容易に形成することができる。特にT3は、絶縁体隔壁の上端に近
づくにつれ薄くなっていくため、クロストーク防止に大きな効果をもたらす。
【００５１】
図１４（ｂ）は、絶縁体隔壁１０３の端部が、絶縁体隔壁１０３の内側に曲率半径R1を一
つ有すると同時に絶縁体隔壁１０３の外側にも曲率半径R2を一つ有する曲面形状となる場
合である。つまり、絶縁体隔壁は、絶縁体隔壁の稜線に対して基板側に曲率半径の中心を
少なくとも１つ有し、かつ前記絶縁体隔壁の稜線に対して基板側と反対側に曲率半径の中
心を少なくとも１つ有する場合であり、前記絶縁体隔壁の稜線は、少なくとも１つの変曲
点を有する曲面形状である場合の一例である。このような場合、図１４（ｂ）に示したと
おり、絶縁体隔壁の端部はＳ字型を描く形となるため、同様にT2＞T1＞T3の状態を容易に
形成することができる。この場合も、T3は絶縁体隔壁の上端に近づくにつれ薄くなってい
くため、クロストーク防止に大きな効果をもたらす。
【００５２】
図１４に示したような絶縁体隔壁の形状は、スピンコート法により湿式塗布する場合に、
特に効果的である。絶縁体隔壁の端部がなだらかになっているため、スピンコートする際
、液が全面に均一に広がりやすいためである。
【００５３】
なお、有機導電体膜104や204や304に、あらかじめ水素プラズマあるいは水素イオンドー
プなどにより水素原子あるいは水素分子を存在させておき、有機薄膜205や305の成膜後、
加熱等により拡散させておくと、駆動中に有機薄膜205や305において不対結合手（あるい
はラジカル）が生じてしまった場合、それを補修して劣化を防止させるようなことも可能
である。
【００５４】
次に、図２や図３の表示装置を形成する装置の概念図を図４に示す。この装置は、有機薄
膜を真空蒸着にて形成する例である。主に基板を搬送する搬送室、受渡を行う受渡室、各
種薄膜を作成する成膜室、封止を行う封止室から構成されている。各室には必要な真空度
を達成するための排気装置、あるいはＮ2等のガス雰囲気を生成するための装置が装備さ
れており、また各室間はゲートバルブ等で接続されている。基板搬送は搬送ロボットによ
って行われる。
【００５５】
最初に、仕込室４００に、基板４０１ｃ（画素部、駆動回路部、配線、電極、保護膜等が
あらかじめ作り込まれているものとするが、ここでは単に「基板」と称す）を外部から導
入する。典型的には、画素部・駆動回路部にはＴＦＴが用いられる。
【００５６】
仕込室４００に導入された基板４０１ｃは、搬送ロボット４０１ｂによって搬送室４０１
a内に運ばれ、更に前処理室４０２に搬送される。典型的には、前処理室４０２で基板４
０１ｃに対して加熱、あるいはＯ2プラズマ処理などの前処理が行われる。この前処理は
ＯＬＥＤの諸特性向上を目的としている。また、水溶性の導電性ポリマーなどを有機導電
体膜として塗布する場合は、基板の塗布表面を親水性にし、濡れ性を向上させる役割も果
たす。
【００５７】
前処理が終了した基板は、再び仕込み室に戻され、窒素パージを行う。そして、常圧下（
窒素雰囲気）にある搬送室４２０に運ばれ、反転室４２２にて基板を表向きに反転させる
。そして、塗布室４２１にて有機導電体膜（具体的には、PEDOT/PSSのような導電性ポリ
マー）を塗布する。塗布方法は、スピンコートやディップコートなどがあるが、ここでは
スプレー法によって成膜する。塗布後、搬送室４２０を経由して、反転および真空ベーク
室４２３へ搬入される。ここでは、反転および真空ベークが行われる。
【００５８】
このように、ここでは真空ベークを反転状態（すなわち、基板表面が下向きとなるフェイ
スダウンの状態）にて行うが、図１や図１４で述べたようなT2＞T1＞T3の関係は、フェイ
スダウンの状態でベークする場合でも問題なく保持されることがわかっている（実施例８
にて後述）。
【００５９】
真空ベーク後、搬送室４０１aおよび受渡室４０３を経由して、搬送室４０４へ運ばれる
。搬送室４０４にも搬送ロボットが搭載されており、搬送室４０４に接続されている各部
屋へ基板を搬送する役割を果たす。搬送室４０４には有機層形成を目的とした成膜室が接
続されている。フルカラー表示のＯＬＥＤ表示装置を作ることを念頭に置いて、Ｒ・Ｇ・
Ｂ各色の発光層を形成するための成膜室４０６Ｒ、４０６Ｇ、４０６Ｂが、さらに各色に
共通な層、即ちキャリア輸送層やキャリア注入層等を作成するための成膜室４０５が設置
されている。これらの成膜室では一般に真空蒸着法が用いられる。フルカラー発光を得る
ためには、Ｒ・Ｇ・Ｂ各色の発光を示す発光層がストライプ状、モザイク状、あるいはデ
ルタ状に配列するように、塗り分け用のシャドウマスクを使用して蒸着を行えばよい。な
お、有機導電体膜をスピンコート法やディップコート法により全面に塗布した場合、各有
機層の成膜を行う前に、前処理室４０２においてＯ2プラズマ処理とマスクを組み合わせ
ることにより、有機導電体膜の不必要な部分（封止剤を塗布する部分や配線の上など）を
除去することもできる。
【００６０】
有機層の成膜が終了した基板は、受渡室４０７を経由して、搬送室４０８へ運ばれる。搬
送室４０８にも搬送ロボットが搭載されており、搬送室４０８に接続されている各部屋へ
基板を搬送する役割を果たす。搬送室４０８には裏面電極形成や保護膜等形成を目的とし
た成膜室が接続されている。成膜室４０９や４１０では、真空蒸着法やＥＢ法で電極とな
る金属（例としてＡｌＬｉ合金やＭｇＡｇ合金等）が成膜される。成膜室４１１では、基
板上面から発光を得る場合に必要な透明導電膜（例としてＩＴＯやＩＺＯ等）が、一般に
スパッタ法あるいは化学気相成長（ＣＶＤ：Chemical Vapor Deposition）法で成膜され
る。成膜室４１２では、表面を保護するためのパッシベーション膜（例としてＳｉＮ、Ｓ
ｉＯｘ膜等）が、一般にスパッタ法あるいはＣＶＤ法で成膜される。
【００６１】
成膜が終了した基板は、受渡室４１３を経由して、搬送室４１４へ運ばれる。搬送室４１
４には封止を行うために必要な部屋が複数接続されている。搬送室４１４にも搬送ロボッ
トが搭載されており、搬送室４１４に接続されている各部屋へ基板あるいは封止基板を搬
送する役割を果たす。
【００６２】
まず、封止を行うための基板を準備する必要がある。そのための部屋が封止ガラス基板準
備室４１５a、及び封止プラスチック基板準備室４１８である。
【００６３】
封止ガラス基板準備室４１５aには、作成したＯＬＥＤをガラス封止するための対向ガラ
スを外部から導入する。必要ならば、ＯＬＥＤを水から防ぐ乾燥剤を対向ガラスに導入す
ることができる。例えば、シート状の乾燥剤を、あらかじめザグリ加工が施してある対向
ガラスのザグリ部分に両面テープ等で貼りつけておけばよい。
【００６４】
一方、封止プラスチック基板準備室４１８では、作成したＯＬＥＤをプラスチック封止す
るための準備を行う。これらの作業に関しては完全に自動化してもよいし、グローブを設
置して一部手動で行ってもよい。
【００６５】
準備された封止ガラス基板あるいは封止プラスチック基板はディスペンサ室４１６運ばれ
、後に基板と貼り合わせるための接着剤（図示しない）が塗布される。
本実施例では、接着剤として紫外線硬化型のものを用いる。また、必要ならば、ＯＬＥＤ
を水から防ぐ乾燥剤（図示しない）を、封止ガラス基板準備室４１５aにおけるガラス導
入時ではなく、ディスペンサ室４１６内で仕込んでもよい。例えば、シート状の乾燥剤を
、あらかじめザグリ加工が施してある対向ガラスのザグリ部分に両面テープ等で貼りつけ
ることができる。こうすれば、乾燥剤を大気中で取り扱う必要がなくなる。これらの作業
に関しては、完全に自動化してもよいし、グローブを設置して一部手動で行ってもよい。
特に封止プラスチック基板が曲率及び弾性を有する場合は、曲がった状態で接着剤を塗布
してもよいし、真っ直ぐ伸ばした状態で塗布してもよい。
【００６６】
成膜を終えた基板、及び接着剤が塗布された封止ガラス基板あるいは封止プラスチック基
板は封止室４１７へ運ばれ、互いに貼り合わせられる。接着時は適当な治具（図示しない
）を用いて加圧する必要がある。曲率及び弾性を有する封止プラスチック基板の場合は真
っ直ぐ伸ばした状態で貼りつければよい。これらの作業に関しては、完全に自動化しても
よいし、グローブを設置して一部手動で行ってもよい。
【００６７】
次いで、封止室４１７で貼り合わせられた基板および封止基板は紫外光照射室４１９へ運
ばれ、接着剤硬化のための紫外線が照射させられる。
【００６８】
紫外光照射室４１９で接着された基板および封止基板は受渡室（図示しない）から外部に
取り出せばよい。
【実施例１】
【００６９】
本実施例では、本発明で開示した表示装置の例として、パッシブマトリクス型表示装置を
例示する。図５(a)にはその上面図を示し、図５(b)には図５(a)をP−P'で切断した時の断
面図を示す。
【００７０】
図５(a)において、501は基板であり、ガラスやプラスチック材が用いられる。プラスチッ
ク材としては、ポリイミド、ポリアミド、アクリル樹脂、エポキシ樹脂、PES（ポリエー
テルスルホン）、PC（ポリカーボネート）、PET（ポリエチレンテレフタレート）もしく
はPEN（ポリエーテルニトリル）を板状、もしくはフィルム上にしたものが使用できる。
【００７１】
502は酸化導電膜からなる走査線（陽極）であり、本実施例では可視光透過性を有するイ
ンジウム錫酸化物（ITO）を用いる。また、506は金属膜を含むデータ線（陰極）であり、
本実施例ではCaF2＼Al電極を用い、ストライプ状にパターニングしてある。また、503は
アクリル樹脂からなる絶縁体隔壁である。走査線502とデータ線506は両方とも、ストライ
プ状に複数形成されており、互いに直交するように設けられている。なお、図５(a)では
図示していないが、走査線502とデータ線506の間には導電性ポリマーPEDOT/PSS504および
有機薄膜505が挟まれており、交差部507が画素となる。
【００７２】
そして、走査線502およびデータ線506はTABテープ508を介して外部の駆動回路に接続され
る。なお、509は走査線502が集合してなる配線群を表しており、510はデータ線506に接続
された接続配線511の集合からなる配線群を表す。また、図示していないが、TABテープ50
8の代わりに、TABテープにICを設けたTCPを接続してもよい。
【００７３】
また、図５(b)において、512はシール材、513はシール材512により基板501に貼り合わさ
れたカバー材である。シール材512としては例えば光硬化樹脂を用いていればよく、脱ガ
スが少なく、吸湿性の低い材料が望ましい。カバー材としては基板501と同一の材料が好
ましく、ガラス（石英ガラスを含む）もしくはプラスチックを用いることができる。ここ
ではガラスを用いる。
【００７４】
以上のような構成からなる本発明の表示装置は、画素部514が走査線502、データ線506、
絶縁体隔壁503、導電性ポリマー504、および有機薄膜505で形成されるため、非常に簡単
なプロセスで作製することができる。
【００７５】
また、本実施例に示した表示装置の表示面（画像を観測する面）に偏光板をもうけてもよ
い。この偏光板は、外部から入射した光の反射を押さえ、観測者が表示面に映り込むこと
を防ぐ効果がある。一般的には、円偏光板が用いられている。
ただし、有機化合物膜から発した光が偏光板により反射されて内部に戻ることを防ぐため
、屈折率を調節して内部反射の少ない構造とすることが好ましい。    
【実施例２】
【００７６】
本実施例では、本発明で開示した有機発光素子を含む表示装置について説明する。図６で
は、本発明のアクティブマトリクス型表示装置を示す。なお、図６(a)には上面図を示し
、図６(b)には図６(a)をP−P'で切断した時の断面図を示す。
【００７７】
なお、能動素子としてここでは薄膜トランジスタ（以下、「TFT」と記す）を用いている
が、MOSトランジスタを用いてもよい。また、TFTとしてトップゲート型TFT（具体的には
プレーナ型TFT）を例示するが、ボトムゲート型TFT（典型的には逆スタガ型TFT）を用い
ることもできる。
【００７８】
図６において、601は基板であり、ここでは基板側から光を取り出すため、可視光を透過
する基板を用いる。具体的には、ガラス基板、石英基板、結晶化ガラス基板もしくはプラ
スチック基板（プラスチックフィルムを含む）を用いればよい。なお、基板601とは、表
面に設けた絶縁膜も含めるものとする。
【００７９】
基板601の上には画素部621および駆動回路622が設けられている。まず、画素部621につい
て説明する。
【００８０】
画素部621は画像表示を行う領域である。基板上には複数の画素が存在し、各画素には有
機発光素子に流れる電流を制御するためのTFT（以下、「電流制御TFT」と記す）611、画
素電極（陽極）602、導電性ポリマー膜604、有機薄膜605および陰極606が設けられている
。各画素は、絶縁体隔壁603により囲まれている。なお、612は、電流制御TFTのゲートに
加わる電圧を制御するためのTFT（以下、「スイッチングTFT」と記す）である。
【００８１】
電流制御TFT611は、ここではpチャネル型TFTを用いることが好ましい。nチャネル型TFTと
することも可能であるが、図６のように有機発光素子の陽極に電流制御TFTを接続する場
合は、pチャネル型TFTの方が消費電力を押さえることができる。ただし、スイッチングTF
Tはnチャネル型TFTでもpチャネル型TFTでもよい。
【００８２】
また、電流制御TFT611のドレインには画素電極602が電気的に接続されている。
本実施例では、画素電極602の材料として仕事関数が4.5〜5.5eVの導電性材料を用いるた
め、画素電極602は有機発光素子の陽極として機能する。画素電極602として代表的には、
酸化インジウム、酸化錫、酸化亜鉛もしくはこれらの化合物（ITOなど）のような、光透
過性の材料を用いればよい。画素電極602の上には導電性ポリマー膜604、有機薄膜605が
設けられている。
【００８３】
さらに、有機薄膜605の上には陰極606が設けられている。陰極606の材料としては、仕事
関数が2.5〜3.5eVの導電性材料を用いることが望ましい。陰極606として代表的には、ア
ルカリ金属元素もしくはアルカリ度類金属元素を含む導電膜、アルミニウムを含む導電膜
、あるいはその導電膜にアルミニウムや銀などを積層したもの、を用いればよい。
【００８４】
また、陰極606からなる層は、保護膜607で覆われている。保護膜607は、有機発光素子を
酸素および水から保護するために設けられている。保護膜607の材料としては、窒化珪素
、窒化酸化珪素、酸化アルミニウム、酸化タンタル、もしくは炭素（具体的にはダイヤモ
ンドライクカーボン）を用いる。特に、ダイヤモンドライクカーボンを用いた場合、保護
膜607中には水素原子が含まれるため、先に述べたように、加熱等により拡散させておく
と、駆動中に有機薄膜605において不対結合手（あるいはラジカル）が生じてしまった場
合、それを補修して劣化を防止させるようなことも可能である。
【００８５】
次に、駆動回路622について説明する。駆動回路622は画素部621に伝送される信号（ゲー
ト信号およびデータ信号）のタイミングを制御する領域であり、シフトレジスタ、バッフ
ァ、ラッチ、アナログスイッチ（トランスファゲート）もしくはレベルシフタが設けられ
ている。図６では、これらの回路の基本単位としてnチャネル型TFT613およびpチャネル型
TFT614からなるCMOS回路を示している。
【００８６】
なお、シフトレジスタ、バッファ、ラッチ、アナログスイッチ（トランスファゲート）も
しくはレベルシフタの回路構成は、公知のものでよい。また図６では、同一の基板上に画
素部621および駆動回路622を設けているが、駆動回路622を設けずにICやLSIを電気的に接
続することもできる。
【００８７】
また、623はゲート信号側駆動回路、622はデータ信号側駆動回路である。また、ゲート信
号側駆動回路623およびデータ信号側駆動回路622に伝送される信号は、データ信号および
走査信号は入力配線615を介してTAB（Tape Automated Bonding）テープ616から入力され
る。なお、図示しないが、TABテープ616の代わりに、TABテープにIC（集積回路）を設け
たTCP（Tape Carrier Package）を接続してもよい。
【００８８】
608は表示装置の上方に設けられるカバー材であり、樹脂からなるシール材609により接着
されている。カバー材608は酸素および水を透過しない材質であれば、いかなるものを用
いてもよい。本実施例では、カバー材608は窪みを持つガラス608aおよび乾燥剤608bから
なる。したがって、シール材609により、有機発光素子を完全に密閉空間610に封入するよ
うになっている。密閉空間610は不活性ガス（代表的には窒素ガスや希ガス）、樹脂また
は不活性液体（例えばパーフルオロアルカンに代表される液状のフッ素化炭素）を充填し
ておけばよい。さらに、吸湿剤や脱酸素剤を設けることも有効である。
【００８９】
なお、図６では電流制御TFT611に画素電極（陽極）602が電気的に接続されているが、陰
極が電流制御TFTに接続された構造をとることもできる。その場合、画素電極を陰極606と
同様の材料で形成し、陰極を画素電極（陽極）602と同様の材料で形成すればよい。その
場合、電流制御TFTはnチャネル型TFTとすることが好ましい。
【００９０】
また、本実施例に示した表示装置の表示面（画像を観測する面）に偏光板をもうけてもよ
い。この偏光板は、外部から入射した光の反射を押さえ、観測者が表示面に映り込むこと
を防ぐ効果がある。一般的には、円偏光板が用いられている。
ただし、有機化合物膜から発した光が偏光板により反射されて内部に戻ることを防ぐため
、屈折率を調節して内部反射の少ない構造とすることが好ましい。    
【実施例３】
【００９１】
本実施例では、本発明の表示装置の例として、アクティブマトリクス型表示装置を例示す
るが、実施例２とは異なり、能動素子が形成されている基板とは反対側から光を取り出す
構造（以下、「上方出射」と記す）の表示装置を示す。図７にその断面図を示す。
【００９２】
なお、能動素子としてここでは薄膜トランジスタ（以下、「TFT」と記す）を用いている
が、MOSトランジスタを用いてもよい。また、TFTとしてトップゲート型TFT（具体的には
プレーナ型TFT）を例示するが、ボトムゲート型TFT（典型的には逆スタガ型TFT）を用い
ることもできる。
【００９３】
本実施例において、第１電極、第２電極、保護膜、カバー材以外の構成は、実施例２と同
様でよい。
【００９４】
電流制御TFT611のドレインに接続されている第一電極602であるが、本実施例では陽極と
して用いるため、仕事関数がより大きい導電性材料を用いることが好ましい。その代表例
として、ニッケル、パラジウム、タングステン、金、銀などの金属が挙げられる。本実施
例では、第一電極602は光を透過しないことが好ましいが、それに加えて、光の反射性の
高い材料を用いることがさらに好ましい。
【００９５】
また、本実施例は上方出射であるため、第二電極606が光透過性であることが大前提であ
る。したがって、これらの金属を用いる場合は、20nm程度の超薄膜であることが好ましい
。
【００９６】
また、保護膜607は、有機発光素子を酸素および水から保護するために設けられている。
本実施例では、光を透過するものであればいかなるものを用いてもよい。
【００９７】
さらに、608はカバー材であり、樹脂からなるシール材609により接着されている。カバー
材608は酸素および水を透過しない材質で、かつ、光を透過する材質であればいかなるも
のを用いてもよい。本実施例ではガラスを用いる。密閉空間610は不活性ガス（代表的に
は窒素ガスや希ガス）、樹脂または不活性液体（例えばパーフルオロアルカンに代表され
る液状のフッ素化炭素）を充填しておけばよい。さらに、吸湿剤や脱酸素剤を設けること
も有効である。
【００９８】
なお、図７では電流制御TFT611に第一電極（陽極）602が電気的に接続されているが、陰
極が電流制御TFTに接続された構造をとることもできる。その場合、第一電極を陰極の材
料で形成し、第二電極を陽極の材料で形成すればよい。このとき、電流制御TFTはnチャネ
ル型TFTとすることが好ましい。    
【実施例４】
【００９９】
本実施例では、実施例２および実施例３で示したような表示装置を、デジタル時間階調表
示により駆動する例を示す。
【０１００】
有機発光素子を用いた画素の、回路構成を図８(a)に示す。Trはトランジスタ、Csはスト
レージキャパシタを表す。図８(a)中の回路構成では、ソース線はトランジスタTr1のソー
ス側に、ゲート線はトランジスタTr1のゲートに接続されている。また、電源供給線はス
トレージキャパシタCs、およびトランジスタTr2のソース側に接続されている。トランジ
スタTr2のドレイン側には本発明の有機発光素子の陽極が接続されているため、有機発光
素子を挟んでトランジスタTr2の反対側は、陰極となっている。
【０１０１】
この回路においては、ゲート線が選択されると、電流がソース線からTr1に流れ、その信
号に対応する電圧がCsに蓄積される。そして、Tr2のゲートおよびソース間の電圧（Vgs）
により制御される電流が、Tr2および有機発光素子に流れることになる。
【０１０２】
Tr1が選択されたあとは、Tr1はオフ状態となり、Csの電圧（Vgs）が保持される。したが
って、Vgsに依存するだけの電流を流し続けることができる。
【０１０３】
このような回路を、デジタル時間階調表示により駆動するチャートを図８(b)に示す。す
なわち、１フレームを複数のサブフレームに分割するわけだが、図８(b)では、１フレー
ムを６つのサブフレーム（SF1〜SF6）に分割する６ビット階調とした。TAは書き込み時間
である。この場合、それぞれのサブフレーム発光期間の割合は、図に示したように３２：
１６：８：４：２：１となる。
【０１０４】
本実施例におけるTFT基板の駆動回路の概要を図８(c)に示す。図８(c)中の基板構成では
、本発明の有機発光素子を各画素とした画素部に対し、図８(a)で示したような電源供給
線および陰極が接続されている。また、シフトレジスタは、シフトレジスタ→ラッチ１→
ラッチ２→画素部の順で、画素部に接続されている。
ラッチ１にはデジタル信号が入力され、ラッチ２に入力されるラッチパルスによって画像
データを画素部に送り込むことができる。
【０１０５】
ゲートドライバおよびソースドライバは同じ基板上に設けられている。本実施例では、画
素回路およびドライバは、デジタル駆動するように設計されているため、TFT特性のばら
つきの影響を受けることなく、均一な像を得ることができる。    
【実施例５】
【０１０６】
上記実施例で述べた本発明の表示装置は、低消費電力で寿命が長いという利点を有する。
したがって、前記表示装置が表示部等として含まれる電気器具は、従来よりも低い消費電
力で動作可能であり、なおかつ長保ちする電気器具となる。特に電源としてバッテリーを
使用する携帯機器のような電気器具に関しては、低消費電力化が便利さに直結する（電池
切れが起こりにくい）ため、極めて有用である。
【０１０７】
また、前記表示装置は、自発光型であることから液晶表示装置のようなバックライトは必
要なく、有機化合物膜の厚みも１μmに満たないため、薄型軽量化が可能である。したが
って、前記表示装置が表示部等として含まれる電気器具は、従来よりも薄型軽量な電気器
具となる。このことも、特に携帯機器のような電気器具に関して、便利さ（持ち運びの際
の軽さやコンパクトさ）に直結するため、極めて有用である。さらに、電気器具全般にお
いても、薄型である（かさばらない）ことは運送面（大量輸送が可能）、設置面（部屋な
どのスペース確保）からみても有用であることは疑いない。
【０１０８】
なお、前記表示装置は自発光型であるために、液晶表示装置に比べて明るい場所での視認
性に優れ、しかも視野角が広いという特徴を持つ。したがって、前記表示装置を表示部と
して有する電気器具は、表示の見やすさの点でも大きなメリットがある。
【０１０９】
すなわち、本発明の表示装置を用いた電気器具は、薄型軽量・高視認性といった従来の有
機発光素子の長所に加え、低消費電力・長寿命という特長も保有しており、極めて有用で
ある。
【０１１０】
本実施例では、本発明の表示装置を表示部として含む電気器具を例示する。その具体例を
図９および図１０に示す。なお、本実施例の電気器具に含まれる有機発光素子には、本発
明で開示した素子のいずれを用いてもよい。また、本実施例の電気器具に含まれる表示装
置の形態は、図２、図３、図５〜図８のいずれの形態を用いても良い。
【０１１１】
図９(a)は有機発光素子を用いたディスプレイであり、筐体901a、支持台902a、表示部903
aを含む。本発明の表示装置を表示部903aとして用いたディスプレイを作製することによ
り、薄く軽量で、長保ちするディスプレイを実現できる。よって、輸送が簡便になり、設
置の際の省スペースが可能となる上に、寿命も長い。
【０１１２】
図９(b)はビデオカメラであり、本体901b、表示部902b、音声入力部903b、操作スイッチ9
04b、バッテリー905b、受像部906bを含む。本発明の表示装置を表示部902bとして用いた
ビデオカメラを作製することにより、消費電力が少なく、軽量なビデオカメラを実現でき
る。よって、電池の消費量が少なくなり、持ち運びも簡便になる。
【０１１３】
図９(c)はデジタルカメラであり、本体901c、表示部902c、接眼部903c、操作スイッチ904
cを含む。本発明の表示装置を表示部902cとして用いたデジタルカメラを作製することに
より、消費電力が少なく、軽量なデジタルカメラを実現できる。よって、電池の消費量が
少なくなり、持ち運びも簡便になる。
【０１１４】
図９(d)は記録媒体を備えた画像再生装置であり、本体901d、記録媒体（CD、LD、またはD
VDなど）902d、操作スイッチ903d、表示部(A)904d、表示部(B)905dを含む。表示部(A)904
dは主として画像情報を表示し、表示部(B)905dは主として文字情報を表示する。本発明の
表示装置をこれら表示部(A)904dや表示部(B)905dとして用いた前記画像再生装置を作製す
ることにより、消費電力が少なく軽量な上に、長保ちする前記画像再生装置を実現できる
。なお、この記録媒体を備えた画像再生装置には、CD再生装置、ゲーム機器なども含む。
【０１１５】
図９(e)は携帯型（モバイル）コンピュータであり、本体901e、表示部902e、受像部903e
、操作スイッチ904e、メモリスロット905eを含む。本発明の表示装置を表示部902eとして
用いた携帯型コンピュータを作製することにより、消費電力が少なく、薄型軽量な携帯型
コンピュータを実現できる。よって、電池の消費量が少なくなり、持ち運びも簡便になる
。なお、この携帯型コンピュータはフラッシュメモリや不揮発性メモリを集積化した記録
媒体に情報を記録したり、それを再生したりすることができる。
【０１１６】
図９(f)はパーソナルコンピュータであり、本体901f、筐体902f、表示部903f、キーボー
ド904fを含む。本発明の表示装置を表示部903fとして用いたパーソナルコンピュータを作
製することにより、消費電力が少なく、薄型軽量なパーソナルコンピュータを実現できる
。特に、ノートパソコンのように持ち歩く用途が必要な場合、電池の消費量や軽さの点で
大きなメリットとなる。
【０１１７】
なお、上記電気器具はインターネットなどの電子通信回線や電波などの無線通信を通じて
配信される情報を表示することが多くなってきており、特に動画情報を表示する機会が増
えている。有機発光素子の応答速度は非常に速く、そのような動画表示に好適である。
【０１１８】
次に、図１０(a)は携帯電話であり、本体1001a、音声出力部1002a、音声入力部1003a、表
示部1004a、操作スイッチ1005a、アンテナ1006aを含む。本発明の表示装置を表示部1004a
として用いた携帯電話を作製することにより、消費電力が少なく、薄型軽量な携帯電話を
実現できる。よって、電池の消費量が少なくなり、持ち運びも楽になる上にコンパクトな
本体にできる。
【０１１９】
図１０(b)は音響機器（具体的には車載用オーディオ）であり、本体1001b、表示部1002b
、操作スイッチ1003b、1004bを含む。本発明の表示装置を表示部1002bとして用いた音響
機器を作製することにより、消費電力が少なく、軽量な音響機器を実現できる。また、本
実施例では車載用オーディオを例として示すが、家庭用オーディオに用いても良い。
【０１２０】
なお、図９〜図１０で示したような電気器具において、さらに光センサを内蔵させ、使用
環境の明るさを検知する手段を設けることで、使用環境の明るさに応じて発光輝度を変調
させるような機能を持たせることは有効である。使用者は、使用環境の明るさに比べてコ
ントラスト比で100〜150の明るさを確保できれば、問題なく画像もしくは文字情報を認識
できる。すなわち、使用環境が明るい場合は画像の輝度を上げて見やすくし、使用環境が
暗い場合は画像の輝度を抑えて消費電力を抑えるといったことが可能となる。    
【実施例６】
【０１２１】
導電性ポリマーはスピン塗布法などで全面に塗布せずとも、ディスペンサーやインクジェ
ット法を用いてストライプ状に形成しても良い。図１１は基板1101上にデータ線駆動回路
1104が形成され、画素部1102にインクジェット法で導電性ポリマー1106を形成する様子を
示している。画素部1102にはストライプ状に隔壁1105が設けられ、各隔壁の間に導電性ポ
リマー1106を形成する。隔壁1105はインクジェット法で有機化合物層を形成する際に、隣
接する有機化合層が相互に混ざり合わないようにするために設けている。
【０１２２】
導電性ポリマー1106は、インクヘッド1107から導電性ポリマーを含む組成物を吐出して形
成する。この組成物はインクヘッドから連続的に吐出させて、線状のパターンを形成する
。
【０１２３】
図１２(a)は基板上にストライプ状（図中縦方向）の第１電極102aを形成し、画素部110a
を形成するために、画素部110aを囲む形で絶縁体隔壁103aを設けたものである。また図１
２(b)は、基板上にアイランド状の第１電極102bを形成し、画素部110bを形成するために
、画素部110bを囲む形で絶縁体隔壁103bを設けたものである。いずれの場合も、図中A−A
'における断面図は図１２(c)のようになる。
即ち、隔壁の間に導電性ポリマー104を形成することができ、隔壁103上には必ずしも形成
されず分離させることができる。この導電性ポリマー層上には低分子有機化合物材料で形
成される発光層、電子注入輸送層などを形成すれば良い。
【０１２４】
その場合においても、導電性ポリマー104の厚さ形状は、絶縁体隔壁103の影響により、T2
＞T1＞T3となる。したがって、T3部分における横方向の抵抗が高くなり、クロストークを
防ぐことができる。さらに、T2部分が厚くなるため、画素部周辺の電界集中を緩和し、画
素部周辺からの有機発光素子の劣化を防ぐことができる。    
【実施例７】
【０１２５】
本実施例ではアクティブマトリクス型表示装置を作製する例を示す。
【０１２６】
まず、絶縁表面上に複数のＴＦＴ（スイッチング用ＴＦＴや電流制御用ＴＦＴを含む）
、保持容量、電流制御用ＴＦＴに接続する第１の電極（陽極）、該第１の電極の端部を覆
う隔壁を形成する。第１の電極の材料としては、Ｔｉ、ＴｉＮ、ＴｉＳｉXＮY、Ｎｉ、Ｗ
、ＷＳｉX、ＷＮX、ＷＳｉXＮY、ＮｂＮ、Ｍｏ、Ｃｒ、Ｐｔ、あるいはＴｉ、Ｓｉ、Ｎｉ
、Ｗ、Ｎｂ、Ｃｒ、Ｚｎ、Ｓｎ、Ｉｎ、Ｍｏから選ばれた元素を主成分とする合金材料も
しくは化合物材料を用いればよい。
また、第１の電極は、これらの材料を用いた膜またはそれらの積層膜を総膜厚１００ｎｍ
〜８００ｎｍの範囲で用いればよい。また、カバレッジを良好なものとするため、隔壁の
上端部または下端部に曲率を有する曲面が形成されるようにする。例えば、隔壁の材料と
してポジ型の感光性アクリルを用いた場合、絶縁物１１１４の上端部のみに曲率半径（０
．２μｍ〜３μｍ）を有する曲面を持たせることが好ましい。また、隔壁として、感光性
の光によってエッチャントに不溶解性となるネガ型、或いは光によってエッチャントに溶
解性となるポジ型のいずれも使用することができる。
【０１２７】
次いで、隔壁で覆われていない第１の電極の表面に塗布法による正孔注入層を形成する。
例えば、正孔注入層として作用するポリ（エチレンジオキシチオフェン）／ポリ（スチレ
ンスルホン酸）水溶液（PEDOT／PSS）をスピンコート法で全面に塗布、焼成する。正孔注
入層を塗布法で形成した後、蒸着法による成膜直前に真空加熱（１００〜２００℃）を行
うことが好ましい。なお、例えば、第１の電極（陽極）の表面をスポンジで洗浄した後、
スピンコート法でポリ（エチレンジオキシチオフェン）／ポリ（スチレンスルホン酸）水
溶液（PEDOT／PSS）を全面に設定膜厚６０ｎｍ、８０℃、１０分間で仮焼成、２００℃、
１時間で本焼成し、さらに蒸着直前に真空加熱（１７０℃、加熱３０分、冷却３０分）し
て大気に触れることなく蒸着法で発光層を含む有機薄膜の形成を行う。特に、ＩＴＯ膜を
第１の電極の材料として用い、表面に凹凸や微小な粒子が存在している場合、PEDOT／PSS
の膜厚を３０ｎｍ以上の膜厚とすることでこれらの影響を低減することができ、結果的に
点欠陥を減少させる。
【０１２８】
また、PEDOT／PSSはＩＴＯ膜上に塗布すると濡れ性があまりよくないため、PEDOT／PSS
溶液をスピンコート法で１回目の塗布を行った後、一旦純水で洗浄することによって濡れ
性を向上させ、再度、PEDOT／PSS溶液をスピンコート法で２回目の塗布を行い、焼成を行
って均一性良く成膜することが好ましい。なお、１回目の塗布を行った後、一旦純水で洗
浄することによって表面を改質するとともに、微小な粒子なども除去できる効果が得られ
る。
【０１２９】
また、スピンコート法によりPEDOT／PSSを成膜した場合、全面に成膜されるため、基板
の端面や周縁部、端子部、陰極と下部配線との接続領域などは選択的に除去することが好
ましく、Ｏ2アッシングなどで除去することが好ましい。
【０１３０】
次いで、有機薄膜上に第２の電極（陰極）を形成する。第２の電極としては、仕事関数の
小さい材料（Ａｌ、Ａｇ、Ｌｉ、Ｃａ、またはこれらの合金ＭｇＡｇ、ＭｇＩｎ、ＡｌＬ
ｉ、ＣａＦ2、またはＣａＮ）を用いればよい。なお、第２の電極は、ＴＦＴにダメージ
が少ない抵抗加熱法で蒸着を行うことが好ましい。
【０１３１】
また、図１３（Ａ）は、第２の電極形成後の素子を切断して観察したＴＥＭ写真である
。なお、図１３（Ｂ）は図１３（Ａ）に対応する模式図である。なお、図１３（Ａ）にお
いて、第１の電極上にはPEDOT／PSSが９０ｎｍ程度形成されている。
【０１３２】
本実施例では、隔壁の上端部または下端部に曲率を有する曲面を形成することで、スピ
ンコート法であっても、隔壁のなだらかな側壁において、第１の電極から離れるに従って
膜厚を薄くし、好ましくは、隔壁上部には正孔注入層である導電性ポリマーがない構造と
することを特徴としている。
【０１３３】
図１３（Ａ）に示すように、隔壁のなだらかな側壁には薄くあるものの隔壁上部には正
孔注入層であるPEDOT／PSSが確認できず、図１３（Ａ）に示す構造とすることで効果的に
クロストークの発生を抑えることができる。
【０１３４】
また、本実施例は、実施の形態、実施例１乃至６のいずれか一と自由に組み合わせるこ
とができる。    
【実施例８】
【０１３５】
図４に示すような装置を用いて本発明の有機発光装置を作製する場合、導電性ポリマーな
どの有機導電体膜を塗布後、ベークする際は、塗布面を下、すなわちフェイスダウンの状
態でベークする状況となる。本実施例では、そのようなベーク法であっても、実施例７の
ような形状が得られることを確認する実験を行った。
【０１３６】
まず、図１３に示したものと同じ形状の絶縁体隔壁を有する基板に、PEDOT/PSSをスピン
コート法により塗布し、その後塗布面を下向きにして２００℃にてベークを行い、断面TE
Mにて形状を観察した。その様子を図１５に示す。１５０１はＩＴＯ、１５０２はPEDOT/P
SSの層、その上のやや白みがかった層１５０３は保護層（カーボン層）である。
【０１３７】
図１５の通り、有機導電体膜を湿式塗布後フェイスダウンにてベークする場合でも、図１
３と全く同様の形状が得られることが確認できた。したがって、本発明の特徴である形状
は、ベーク時の基板の向きによらず形成できる。    
【実施例９】
【０１３８】
本実施例では、上面出射構造の発光装置の一例を例示する。その概略図を図１６に示す
。
【０１３９】
図１６（Ａ）は、発光装置を示す上面図、図１６（Ｂ）は図１６（Ａ）をＡ−Ａ’で切
断した断面図である。点線で示された１６０１はソース信号線駆動回路、１６０２は画素
部、１６０３はゲート信号線駆動回路である。また、１６０４は透明な封止基板、１６０
５は第１のシール材であり、第１のシール材１６０５で囲まれた内側は、透明な第２のシ
ール材１６０７で充填されている。なお、第１のシール材１６０５には基板間隔を保持す
るためのギャップ材が含有されている。
【０１４０】
なお、１６０８はソース信号線駆動回路１６０１及びゲート信号線駆動回路１６０３に
入力される信号を伝送するための配線であり、外部入力端子となるＦＰＣ（フレキシブル
プリントサーキット）１６０９からビデオ信号やクロック信号を受け取る。なお、ここで
はＦＰＣしか図示されていないが、このＦＰＣにはプリント配線基盤（ＰＷＢ）が取り付
けられていても良い。
【０１４１】
次に、断面構造について図１６（Ｂ）を用いて説明する。基板１６１０上には駆動回路
及び画素部が形成されているが、ここでは、駆動回路としてソース信号線駆動回路１６０
１と画素部１６０２が示されている。
【０１４２】
なお、ソース信号線駆動回路１６０１はｎチャネル型ＴＦＴ１６２３とｐチャネル型Ｔ
ＦＴ１６２４とを組み合わせたＣＭＯＳ回路が形成される。また、駆動回路を形成するＴ
ＦＴは、公知のＣＭＯＳ回路、ＰＭＯＳ回路もしくはＮＭＯＳ回路で形成しても良い。ま
た、本実施例では、基板上に駆動回路を形成したドライバー一体型を示すが、必ずしもそ
の必要はなく、基板上ではなく外部に形成することもできる。
【０１４３】
また、画素部１６０２はスイッチング用ＴＦＴ１６１１と、電流制御用ＴＦＴ１６１２
とそのドレインに電気的に接続された第１の電極（陽極）１６１３を含む複数の画素によ
り形成される。電流制御用ＴＦＴ１６１２としてはｎチャネル型ＴＦＴであってもよいし
、ｐチャネル型ＴＦＴであってもよいが、陽極と接続させる場合、ｐチャネル型ＴＦＴと
することが好ましい。また、保持容量（図示しない）を適宜設けることが好ましい。なお
、ここでは無数に配置された画素のうち、一つの画素の断面構造のみを示し、その一つの
画素に２つのＴＦＴを用いた例を示したが、３つ、またはそれ以上のＴＦＴを適宜、用い
てもよい。
【０１４４】
ここでは第１の電極１６１３がＴＦＴのドレインと直接接している構成となっているた
め、第１の電極１６１３の下層はシリコンからなるドレインとオーミックコンタクトのと
れる材料層とし、有機化合物を含む層と接する最上層を仕事関数の大きい材料層とするこ
とが望ましい。例えば、窒化チタン膜とアルミニウムを主成分とする膜と窒化チタン膜と
の３層構造とすると、配線としての抵抗も低く、且つ、良好なオーミックコンタクトがと
れ、且つ、陽極として機能させることができる。また、第１の電極１６１３は、窒化チタ
ン膜、クロム膜、タングステン膜、Ｚｎ膜、Ｐｔ膜などの単層としてもよいし、３層以上
の積層を用いてもよい。
【０１４５】
また、第１の電極（陽極）１６１３の両端には絶縁体隔壁（バンク、隔壁、障壁、土手な
どと呼ばれる）１６１４が形成される。絶縁体隔壁１６１４は有機樹脂膜もしくは珪素を
含む絶縁膜で形成すれば良い。ここでは、絶縁体隔壁１６１４として、ポジ型の感光性ア
クリル樹脂膜を用いて図１６に示す形状の絶縁体隔壁を形成する。
【０１４６】
カバレッジを良好なものとするため、および有機導電体膜９３０の塗布を均一に行うた
め、絶縁体隔壁１６１４の上端部または下端部に曲率を有する曲面が形成されるようにす
る。例えば、絶縁体隔壁１６１４の材料としてポジ型の感光性アクリルを用いた場合、絶
縁体隔壁１６１４の上端部のみに曲率半径（０．２μｍ〜３μｍ）を有する曲面を持たせ
ることが好ましい。また、絶縁体隔壁１６１４として、感光性の光によってエッチャント
に不溶解性となるネガ型、或いは光によってエッチャントに溶解性となるポジ型のいずれ
も使用することができる。
【０１４７】
また、絶縁体隔壁１６１４を窒化アルミニウム膜、窒化酸化アルミニウム膜、炭素を主
成分とする薄膜、または窒化珪素膜からなる保護膜で覆ってもよい。
【０１４８】
ここで、第１の電極（陽極）１６１３および絶縁体隔壁１６１４の上に、有機導電体膜
１６３０を形成する。本実施例では、導電性ポリマーをスピンコート法により塗布する例
を例示するが、他の湿式法を用いてもよい。また、有機物とアクセプタまたはドナーとを
共蒸着するといった乾式法にて形成してもよい。なお、導電性ポリマーとしてPEDOT/PSS
のような水溶媒系のものを用いてスピンコートする場合は、あらかじめ塗布面にUVオゾン
処理あるいはＯ2プラズマ処理などで親水処理を施し、その後スピンコートする手法が有
効である。
【０１４９】
本実施例では、スピンコート法にて有機導電体膜１６３０を形成するため、塗布直後は基
板全面に塗布されている。したがって、基板の端面や周縁部、端子部、第２の電極１６１
６と接続配線１６０８との接続領域などは選択的に除去することが好ましく、Ｏ2アッシ
ング、あるいはレーザーアブレーションにより除去することが好ましい。
【０１５０】
有機導電体膜１６３０上には、蒸着マスクを用いた蒸着法、またはインクジェット法によ
って有機薄膜１６１５を選択的に形成する。なお、本実施例における有機薄膜１６１５と
は、白色発光を呈する膜とする。
【０１５１】
さらに、有機薄膜１６１５上には第２の電極（陰極）１６１６が形成される。
陰極としては、仕事関数の小さい材料（Ａｌ、Ａｇ、Ｌｉ、Ｃａ、またはこれらの合金Ｍ
ｇＡｇ、ＭｇＩｎ、ＡｌＬｉ、ＣａＦ2、またはＣａ3Ｎ2）を用いればよい。ここでは、
発光が透過するように、第２の電極（陰極）１６１６として、膜厚を薄くした金属薄膜と
、透明導電膜（ＩＴＯ（酸化インジウム酸化スズ合金）、酸化インジウム酸化亜鉛合金（
Ｉｎ2Ｏ3―ＺｎＯ）、酸化亜鉛（ＺｎＯ）等）との積層を用いる。こうして、第１の電極
（陽極）１６１３、有機導電体膜１６３０、有機薄膜１６１５、及び第２の電極（陰極）
１６１６からなる有機発光素子１６１８が形成される。ここでは有機発光素子１６１８は
白色発光とする例とするので、着色層１６３１と遮光層（ＢＭ）１６３２からなるカラー
フィルター（簡略化のため、ここではオーバーコート層は図示しない）を設けることによ
り、フルカラー化が可能となる。
【０１５２】
また、Ｒ、Ｇ、Ｂの発光が得られる有機化合物を含む層をそれぞれ選択的に形成すれば
、カラーフィルターを用いなくともフルカラーの表示を得ることができる。
【０１５３】
また、有機発光素子１６１８を封止するために透明保護層１６１７を形成する。この透
明保護層１６１７としてはスパッタ法（ＤＣ方式やＲＦ方式）やＰＣＶＤ法により得られ
る窒化珪素または窒化酸化珪素を主成分とする絶縁膜、炭素を主成分とする薄膜（ダイヤ
モンドライクカーボン：ＤＬＣ膜、窒化炭素：ＣＮ膜など）、またはこれらの積層を用い
ることが好ましい。シリコンターゲットを用い、窒素とアルゴンを含む雰囲気で形成すれ
ば、水分やアルカリ金属などの不純物に対してブロッキング効果の高い窒化珪素膜が得ら
れる。また、窒化シリコンターゲットを用いてもよい。また、透明保護層は、リモートプ
ラズマを用いた成膜装置を用いて形成してもよい。また、透明保護層に発光を通過させる
ため、透明保護層の膜厚は、可能な限り薄くすることが好ましい。
【０１５４】
また、有機発光素子１６１８を封止するために不活性気体雰囲気下で第１シール材１６
０５、第２シール材１６０７により封止基板１６０４を貼り合わせる。
なお、第１シール材１６０５、第２シール材１６０７としてはエポキシ系樹脂を用いるの
が好ましい。また、第１シール材１６０５、第２シール材１６０７はできるだけ水分や酸
素を透過しない材料であることが望ましい。
【０１５５】
また、本実施例では封止基板１６０４を構成する材料としてガラス基板や石英基板の他
、ＦＲＰ（Fiberglass-Reinforced Plastics）、ＰＶＦ（ポリビニルフロライド）、マイ
ラー、ポリエステルまたはアクリル等からなるプラスチック基板を用いることができる。
また、第１シール材１６０５、第２シール材１６０７を用いて封止基板１６０４を接着し
た後、さらに側面（露呈面）を覆うように第３のシール材で封止することも可能である。
【０１５６】
以上のようにして有機発光素子を第１シール材１６０５、第２シール材１６０７に封入
することにより、有機発光素子を外部から完全に遮断することができ、外部から水分や酸
素といった有機化合物層の劣化を促す物質が侵入することを防ぐことができる。従って、
信頼性の高い発光装置を得ることができる。
【０１５７】
なお、第１の電極１６１３として透明導電膜を用いれば両面発光型の発光装置を作製す
ることができる。
【図１】
2020178137.tif 000003
【図２】
2020178137.tif 000004
【図３】
2020178137.tif 000005
【図４】
2020178137.tif 000006
【図５】
2020178137.tif 000007
【図６】
2020178137.tif 000008
【図７】
2020178137.tif 000009
【図８】
2020178137.tif 000010
【図９】
2020178137.tif 000011
【図１０】
2020178137.tif 000012
【図１１】
2020178137.tif 000013
【図１２】
2020178137.tif 000014
【図１３】
2020178137.tif 000015
【図１４】
2020178137.tif 000016
【図１５】
2020178137.tif 000017
【図１６】
2020178137.tif 000018
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
基板上の第１の電極と、
前記第１の電極の端部を覆う絶縁体隔壁と、
前記第１の電極上の有機導電体膜と、
前記有機導電体膜上の有機薄膜と、
前記有機薄膜上の第２の電極と、を有し、
前記有機薄膜は、電界を加えることで発光が得られる有機化合物を含み、
前記第１の電極上における前記有機導電体膜の膜厚Ｔ１と、前記第１の電極と前記絶縁体隔壁との境界上における前記有機導電体膜の膜厚Ｔ２と、の関係が、Ｔ２＞Ｔ１である、表示装置。
【請求項２】
基板上の第１の電極と、
前記第１の電極の端部を覆う絶縁体隔壁と、
前記第１の電極上の正孔注入層と、
前記正孔注入層上の有機薄膜と、
前記有機薄膜上の第２の電極と、を有し、
前記有機薄膜は、電界を加えることで発光が得られる有機化合物を含み、
前記第１の電極上における前記正孔注入層の膜厚Ｔ１と、前記第１の電極と前記絶縁体隔壁との境界上における前記正孔注入層の膜厚Ｔ２と、の関係が、Ｔ２＞Ｔ１である、表示装置。
【請求項３】
第１の画素と、第２の画素と、前記第１の画素と前記第２の画素との間に設けられたストライプ状の絶縁体隔壁と、を有する表示装置であって、
前記第１の画素は、前記絶縁体隔壁に覆われた端部を有する第１の電極と、前記第１の電極上の第１の有機導電体膜と、前記第１の有機導電体膜上の第１の有機薄膜と、前記第１の有機薄膜上の第２の電極と、を有し、
前記第２の画素は、前記絶縁体隔壁に覆われた端部を有する第３の電極と、前記第３の電極上の第２の有機導電体膜と、前記第２の有機導電体膜上の第２の有機薄膜と、前記第２の有機薄膜上の前記第２の電極と、を有し、
前記第１の画素からの発光色と、前記第２の画素からの発光色とは異なり、
前記第１の電極上における前記第１の有機導電体膜の膜厚Ｔ１と、前記第１の電極と前記絶縁体隔壁との境界上における前記第１の有機導電体膜の膜厚Ｔ２と、の関係が、Ｔ２＞Ｔ１である、表示装置。
【請求項４】
第１の画素と、第２の画素と、前記第１の画素と前記第２の画素との間に設けられたストライプ状の絶縁体隔壁と、を有する表示装置であって、
前記第１の画素は、前記絶縁体隔壁に覆われた端部を有する第１の電極と、前記第１の電極上の第１の正孔注入層と、前記第１の正孔注入層上の第１の有機薄膜と、前記第１の有機薄膜上の第２の電極と、を有し、
前記第２の画素は、前記絶縁体隔壁に覆われた端部を有する第３の電極と、前記第３の電極上の第２の正孔注入層と、前記第２の正孔注入層上の第２の有機薄膜と、前記第２の有機薄膜上の前記第２の電極と、を有し、
前記第１の画素からの発光色と、前記第２の画素からの発光色とは異なり、
前記第１の電極上における前記第１の正孔注入層の膜厚Ｔ１と、前記第１の電極と前記絶縁体隔壁との境界上における前記第１の正孔注入層の膜厚Ｔ２と、の関係が、Ｔ２＞Ｔ１である、表示装置。
【請求項５】
第１の画素と、第２の画素と、前記第１の画素と前記第２の画素との間に設けられた絶縁体隔壁と、を有する表示装置であって、
前記第１の画素は、前記絶縁体隔壁に覆われた端部を有する第１の電極と、前記第１の電極上の第１の有機導電体膜と、前記第１の有機導電体膜上の第１の有機薄膜と、前記第１の有機薄膜上の第２の電極と、を有し、
前記第２の画素は、前記絶縁体隔壁に覆われた端部を有する第３の電極と、前記第３の電極上の第２の有機導電体膜と、前記第２の有機導電体膜上の第２の有機薄膜と、前記第２の有機薄膜上の前記第２の電極と、を有し、
前記第１の有機薄膜は、第１の発光層と第１の電子注入輸送層を含み、
前記第２の有機薄膜は、第２の発光層と第２の電子注入輸送層を含み、
前記第１の有機導電体膜と前記第２の有機導電体膜とは分離して設けられており、
前記第１の電子注入輸送層と前記第２の電子注入輸送層とは連続して設けられており、
前記第１の電極上における前記第１の有機導電体膜の膜厚Ｔ１と、前記第１の電極と前記絶縁体隔壁との境界上における前記第１の有機導電体膜の膜厚Ｔ２と、の関係が、Ｔ２＞Ｔ１である、表示装置。
【請求項６】
第１の画素と、第２の画素と、前記第１の画素と前記第２の画素との間に設けられた絶縁体隔壁と、を有する表示装置であって、
前記第１の画素は、前記絶縁体隔壁に覆われた端部を有する第１の電極と、前記第１の電極上の第１の正孔注入層と、前記第１の正孔注入層上の第１の有機薄膜と、前記第１の有機薄膜上の第２の電極と、を有し、
前記第２の画素は、前記絶縁体隔壁に覆われた端部を有する第３の電極と、前記第３の電極上の第２の正孔注入層と、前記第２の正孔注入層上の第２の有機薄膜と、前記第２の有機薄膜上の前記第２の電極と、を有し、
前記第１の有機薄膜は、第１の発光層と第１の電子注入輸送層を含み、
前記第２の有機薄膜は、第２の発光層と第２の電子注入輸送層を含み、
前記第１の正孔注入層と前記第２の正孔注入層とは分離して設けられており、
前記第１の電子注入輸送層と前記第２の電子注入輸送層とは連続して設けられており、
前記第１の電極上における前記第１の正孔注入層の膜厚Ｔ１と、前記第１の電極と前記絶縁体隔壁との境界上における前記第１の正孔注入層の膜厚Ｔ２と、の関係が、Ｔ２＞Ｔ１である、表示装置。
【請求項７】
請求項１乃至請求項６のいずれか一において、
前記第１の電極は、光の反射性を有し、
前記第２の電極は、光の透過性を有する、表示装置。
【請求項８】
請求項１乃至請求項７のいずれか一において、
前記第１の電極は、ニッケル、パラジウム、タングステン、金、銀のいずれかを有する、表示装置。
【請求項９】
請求項１乃至請求項７のいずれか一において、
前記第１の電極は、Ｔｉ、ＴｉＮ、ＴｉＳｉＸＮＹ、Ｎｉ、Ｗ、ＷＳｉＸ、ＷＮＸ、ＷＳｉＸＮＹ、ＮｂＮ、Ｍｏ、Ｃｒ、Ｐｔ、または、Ｔｉ、Ｓｉ、Ｎｉ、Ｗ、Ｎｂ、Ｃｒ、Ｚｎ、Ｓｎ、Ｉｎ、Ｍｏから選ばれた元素を主成分とする合金材料もしくは化合物材料を有する、表示装置。
【請求項１０】
請求項１乃至請求項７のいずれか一において、
前記第１の電極は、窒化チタン膜、クロム膜、タングステン膜、Ｚｎ膜、Ｐｔ膜のいずれか一の膜と、アルミニウムを主成分とする膜とを有する、表示装置。
【請求項１１】
請求項１乃至請求項１０のいずれか一において、
前記第２の電極は、Ａｌ、Ａｇ、Ｌｉ、Ｃａのいずれかを有する、表示装置。
【請求項１２】
請求項１乃至請求項１０のいずれか一において、
前記第２の電極は、酸化インジウム酸化スズ、酸化インジウム酸化亜鉛、酸化亜鉛のいずれかを有する、表示装置。
【請求項１３】
請求項１乃至請求項１０のいずれか一において、
前記第２の電極は、金属薄膜と、透明導電膜とを有する、表示装置。
【請求項１４】
請求項１乃至請求項１３のいずれか一において、
前記第２の電極上に、着色層を有する、表示装置。
【請求項１５】
請求項１乃至請求項１４のいずれか一において、
前記第１の電極は、トランジスタと電気的に接続されている、表示装置。